(57)【要約】【課題】液晶表示パネルの温度をより正確に推定できる、ＯＣＢモード液晶を用いた液晶表示装置を提供する。【解決手段】液晶表示パネル１１と、その背面に配置されたバックライトユニット１２と、液晶表示パネル１１の温度を検出するための第１の温度センサー１４と、外気温を検出する第２の温度センサー１５と、液晶表示パネル１１の温度を推定するパネル温度推定手段２３、その推定した温度に基づいて表示制御するパネル制御手段２５を有するパネル制御回路１３とを備える。パネル温度推定手段２３は、第１の温度センサー１４で検出される温度と液晶表示パネルの温度１１との相関関係情報２６を、複数種類の外気温に対応して複数予め有しており、検出された外気温に基づいて複数の相関関係情報２６の中から適用する相関関係情報を選択し、その選択した相関関係情報を用いて第１の温度センサー１４で検出された温度から液晶表示パネル１１の温度を推定する。【選択図】図２
2007093939.tif 000002
【特許請求の範囲】
【請求項１】
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するために、所定の位置に配置されている第１の温度センサーと、
外気温を検出するための第２の温度センサーと、
前記信号線に電圧を供給するソースドライバと、前記走査線にゲート信号を供給するゲートドライバと、前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備え、
前記パネル温度推定手段は、前記第１の温度センサーで検出される温度と前記液晶表示パネルの温度との相関関係情報を、複数種類の前記外気温に対応して、複数予め有しており、前記第２の温度センサーから得られる外気温情報に基づいて前記複数の相関関係情報の中から適用する相関関係情報を選択し、選択した前記相関関係情報を用いて前記第１の温度センサーで検出された温度から前記液晶表示パネルの温度を推定する、液晶表示装置。
【請求項２】
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するために、所定の位置に配置されている第１の温度センサーと、
外気温を検出するための第２の温度センサーと、
前記信号線に電圧を供給するソースドライバと、前記走査線にゲート信号を供給するゲートドライバと、前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備え、
前記パネル温度推定手段は、所定の外気温のときにおける前記第１の温度センサーで検出される温度と前記液晶表示パネルの温度との相関関係情報、および前記第２の温度センサーから得られる外気温情報に応じて前記相関関係情報を前記外気温に対応したものに更正するためのルールを有しており、前記外気温情報から前記ルールに基づき前記相関関係情報を更正し、前記更正された相関関係情報を用いて前記第１の温度センサーで検出された温度から前記液晶表示パネルの温度を推定する、液晶表示装置。
【請求項３】
前記第２の温度センサーは、他の熱源の影響を受けずに外気温を検出できる位置に配置されており、
前記パネル温度推定手段は、前記外気温情報として、前記第２の温度センサーで検出された温度を用いる、請求項１または２に記載の液晶表示装置。
【請求項４】
請求項１または２に記載の液晶表示装置が組み込まれた電子装置であって、
前記第２の温度センサーは、その筐体の外側に取り付けられている、電子装置。
【請求項５】
その電子装置を制御する回路が実装されているセット基板を備え、請求項１または２に記載の液晶表示装置が組み込まれている電子装置であって、
前記第２の温度センサーは、前記セット基板上に配置されており、
前記第２の温度センサーが出力する外気温信号は、前記セット基板の回路に出力され、
前記セット基板の回路は、前記外気温情報として前記外気温信号を前記パネル温度推定手段に入力し、
前記パネル温度推定手段は、前記セット基板から前記第２の温度センサーへの温度影響を考慮して、入力された前記外気温情報から外気温を推定できる、補正係数を予め有しており、前記補正係数を用いて前記外気温情報から外気温を推定し、前記推定した外気温に基づいて前記液晶表示パネルの温度を推定する、電子装置。
【請求項６】
その電子装置を制御する回路が実装されているセット基板を備え、請求項１または２に記載の液晶表示装置が組み込まれている電子装置であって、
前記第２の温度センサーは、前記セット基板上に配置されており、
前記セット基板は、前記セット基板から前記第２の温度センサーへの温度影響を考慮して、前記第２の温度センサーから出力される外気温信号を補正して外気温を推定できる、補正係数を予め有しており、前記補正係数を用いて前記第２の温度センサーから出力された前記外気温信号を補正し、前記補正した外気温信号を前記外気温情報として前記パネル温度推定手段に入力する、電子装置。
【請求項７】
その電子装置を制御する回路が実装されているセット基板を備え、請求項２に記載の液晶表示装置が組み込まれている電子装置であって、
前記第２の温度センサーは、前記セット基板上に配置されており、
前記セット基板は、前記第２の温度センサーで検出された温度から前記相関関係情報を前記検出された温度に対応した相関関係情報に更正するためのオフセット量を決定するオフセット量決定手段を有しており、前記決定したオフセット量を前記外気温情報として前記パネル温度推定手段に入力する、電子装置。
【請求項８】
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するための、所定の位置に配置されている第１の温度センサーと、
前記信号線に電圧を供給するソースドライバと、前記走査線にゲート信号を供給するゲートドライバと、前記第１の温度センサーで検出された温度に基づいて前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備えた液晶表示装置が組み込まれた電子装置であって、
前記パネル温度推定手段は、前記第１の温度センサーで検出される温度と前記液晶表示パネルの温度との相関関係情報を予め格納しておく相関関係情報格納手段を有しており、
前記予め格納されている相関関係情報とは、想定される特定の外気温の環境で動作させることにより、前記第１の温度センサーで検出される温度と前記液晶表示パネルの温度との相関関係を取得しておいたものである、電子装置。
【請求項９】
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するための第１の温度センサーと、
前記信号線に電圧を供給するソースドライバと、前記走査線にゲート信号を供給するゲートドライバと、前記第１の温度センサーで検出された温度に基づいて前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備えた液晶表示装置が組み込まれており、その電子装置を制御する回路が実装されているセット基板を備えている電子装置の製造方法であって、
前記第１の温度センサーを、前記パネル制御回路と前記セット基板との間に組み込む、組み立てステップと、
組み立てた後に、想定される特定の外気温の環境で動作させて、前記第１の温度センサーで検出される温度と前記液晶表示パネルの温度との相関関係を示す相関関係情報を取得する、相関関係情報取得ステップと、
前記パネル温度推定手段が、前記第１の温度センサーで検出された温度に基づいて前記液晶表示パネルの温度を推定する際に使用するための、前記相関関係情報を予め格納しておく、相関関係情報格納ステップとを備えた、電子装置の製造方法。
【請求項１０】
請求項１または２に記載の液晶表示装置の、前記液晶表示パネルの温度を推定する前記パネル温度推定手段、および／または、前記パネル温度推定手段で推定された前記液晶表示パネルの温度に基づいて、前記ソースドライバ、前記ゲートドライバ、前記バックライトユニットを制御する前記パネル制御手段、としてコンピュータを機能させるためのプログラム。
【請求項１１】
請求項１０に記載のプログラムを記録した記録媒体であって、コンピュータにより処理可能な記録媒体。
【発明の詳細な説明】
【技術分野】
【０００１】
本発明は、ＯＣＢモード液晶を用いた液晶表示装置、電子装置、および電子装置の製造方法に関する。
【背景技術】
【０００２】
液晶表示装置は薄型、軽量であり、従来のブラウン管に代替するものとして、近年一層用途が拡大されてきた。しかし、現在広く使用されているＴＮ（Ｔｗｉｓｔｅｄ  Ｎｅｍａｔｉｃ）配向液晶表示パネルは視野角が狭く、また応答速度が遅く、動画表示時には尾を引くように見える等、ブラウン管より画質が劣る。
【０００３】
これに対して、近年、高速応答、高視野角という特徴を有するＯＣＢ（Ｏｐｔｉｃａｌｌｙ  Ｃｏｍｐｅｎｓａｔｅｄ  Ｂｉｒｅｆｒｉｎｇｅｎｃｅ）モードの液晶表示素子を備える液晶表示装置が用いられるようになってきている。この液晶表示装置は、液晶をベンド配向させて視覚補償を行い、さらにこれに光学位相補償フィルムを組み合わせることにより広い視野角を得るようにしたものである。
【０００４】
図１１は、ＯＣＢモードの液晶表示素子が有する液晶分子の配向状態を模式的に示した断面図である。図１１（ａ）および図１１（ｂ）は、電圧印加状態を示した断面図であり、図１１（ｃ）は、電圧無印加状態を示した断面図である。
【０００５】
ＯＣＢモードの液晶表示素子を用いた液晶表示装置を構成する液晶表示パネルのガラス基板９１の間には、図１１（ａ）等に液晶分子９２として示すように、ネマチック液晶が注入されている。そして、電圧を印加していない液晶の配向状態は、スプレイ状態９３と呼ばれている。ＯＣＢモードの液晶表示素子を用いた液晶表示装置の電源投入時には転移駆動と呼ばれる駆動を行う必要がある。すなわち、転移駆動とは、液晶表示装置の電源投入時にこの液晶層に２０ボルトから２５ボルト程度の比較的大きな電圧を印加することにより、図１１（ｃ）に示すスプレイ状態９３から図１１（ａ）、図１１（ｂ）に示すベンド状態９４ａ、９４ｂに転移させる駆動のことである。このベンド状態９４ａ、９４ｂを用いて表示を行うのが、ＯＣＢモードの液晶表示素子を用いた液晶表示装置の特徴であり、電圧の大きさによってベンド状態を変化させることにより、パネルの透過率を変化させるものである。
【０００６】
図１１（ａ）に示すベンド状態９４ａは、白表示をしている場合のベンド状態を示し、図１１（ｂ）のベンド状態９４ｂは、黒表示をしている場合のベンド状態を示している。
【０００７】
また、ＯＣＢモードの液晶表示素子を用いた液晶表示装置では、その液晶表示パネルに２ボルト以下の電圧を印加し続けると、液晶の配向状態は、ベンド状態９４ａ、９４ｂからスプレイ状態９３に徐々に移行してしまう（以下この移行を逆転移と呼ぶ）。このような逆転移を防止するために、ＯＣＢモードの液晶表示素子を用いた液晶表示装置では、逆転移防止駆動と呼ばれる駆動が行われる。
【０００８】
つまり、比較的低い電圧が印加されているときに白表示を行い、比較的高い電圧が印加されているときに黒表示を行うノーマリホワイトモードの液晶表示装置の場合、逆転移防止駆動とは、各画素に周期的に表示する映像信号とは別に黒色に対応する電圧を印加することにより、逆転移を防止する駆動である。逆転移防止駆動には、逆転移の防止のために画素に黒色に対応する電圧を印加する動作と、映像信号に対応する電圧を印加する動作とを交互に行う、２倍速変換と呼ばれる逆転移防止駆動がある。従って、ＯＣＢモードの液晶表示素子を用いた液晶表示装置では、１フレーム（または１フィールド）の映像を表示する期間には、映像信号に対応する電圧を画素に印加している表示期間と、逆転移防止のために黒色に対応する電圧を画素に印加している黒挿入期間とが設けられている。
【０００９】
図１２は、従来のＯＣＢモードの液晶表示素子を用いた液晶表示装置が組み込まれている液晶テレビ１００のシステム構成図を示している。液晶テレビ１００の筐体１０７に、液晶表示パネル１０１、バックライトユニット１０２、パネル基板１０３で構成される液晶表示装置が組み込まれている。
【００１０】
液晶表示パネル１０１の背面に配置されているバックライトユニット１０２は、複数の冷陰極管１０８を有している。そして、パネル基板１０３が、バックライトユニット１０２の背面に配置されており、そのパネル基板１０３上には、温度センサー１０４が配置されている。パネル基板１０３には、ソースドライバやゲートドライバ等の、液晶表示パネル１０１およびバックライトユニット１０２を制御するための回路が実装されている。
【００１１】
また、液晶テレビ１００を制御するテレビチューナー等の回路が実装されているセット基板１０６が、図１２に示すように筐体１０７の背面側に配置されている。
【００１２】
図１３は、図１２に示した液晶テレビ１００に組み込まれている液晶表示装置のブロック図を示している（例えば、特許文献１参照）。
【００１３】
この液晶表示装置のパネル基板１０３には、温度センサー１０４以外に、温度検出手段１１１、パネル温度算出手段１１２、黒挿入率設定手段１１３、駆動処理手段１１４が備えられている。
【００１４】
液晶表示パネル１０１は、ＯＣＢモードの液晶表示素子を用いた液晶表示パネルである。
【００１５】
バックライトユニット１０２は、液晶表示パネル１０１を照明する装置であり、例えば冷陰極管１０８などから構成されている。
【００１６】
温度センサー１０４は、その設置されている位置の温度を検知して、その温度に対応する電流等の信号を出力する手段である。
【００１７】
温度検出手段１１１は、温度センサー１０４から出力されてきた信号に基づいて、その検知された温度を検出する手段である。
【００１８】
パネル温度算出手段１１２は、温度センサー１０４で検出される温度と液晶表示パネル１０１の温度との相関関係を示す相関関係情報テーブル１１５を有しており、この相関関係情報テーブル１１５を利用して、温度検出手段１１１から通知される温度センサー１０４で検出された温度から、液晶表示パネル１０１の温度を算出する手段である。
【００１９】
黒挿入率設定手段１１３は、パネル温度算出手段１１２で算出された液晶表示パネル１０１の温度に応じて黒挿入期間の比率を設定する手段である。
【００２０】
駆動処理手段１１４は、黒挿入率設定手段１１３で設定された黒挿入期間の比率で表示させるように、液晶表示パネル１０１およびバックライトユニット１０２を駆動する手段である。
【００２１】
図１４に、この液晶表示装置のうち、駆動処理手段１１４と、バックライトユニット１０２と、液晶表示パネル１０１との詳細な構成を示す。
【００２２】
ここで、図１４に示すゲートドライバ１２７およびソースドライバ１２６は、図１３に示す駆動処理手段１１４に含まれており、図１４に示す液晶表示パネル１０１は、図１３の液晶表示パネル１０１に相当している。
【００２３】
液晶表示パネル１０１は、ＴＦＴ（Ｔｈｉｎ  Ｆｉｌｍ  Ｔｒａｎｓｉｓｔｏｒ）タイプの表示パネルである。液晶表示パネル１０１は、内面に共通電極（図示せず）が形成された対向基板（図示せず）と、内面に画素電極１２２、走査線１２３、信号線１２４、およびスイッチング素子１２５が形成されたＴＦＴ基板（図示せず）とが、液晶層を挟んで対向するように配置されている。走査線１２３と信号線１２４は、ＴＦＴ基板上でマトリックス状に配設されており、その走査線１２３と信号線１２４とで区画された各画素毎に、画素電極１２２およびスイッチング素子１２５が形成されている。そして、各走査線１２３はゲートドライバ１２７に接続されており、各信号線１２４は、ソースドライバ１２６に接続されている。また、液晶表示パネル１０１の背面にはバックライトユニット１０２が設けられている。
【００２４】
次に、このような液晶テレビ１００に組み込まれている従来の液晶表示装置の動作を説明する。
【００２５】
この液晶表示装置の電源が入れられた際には、液晶表示パネル１０１の液晶層は、図１１（ｃ）に示すようにスプレイ状態９３のままであるので、図１１（ａ）のベンド状態９４ａや図１１（ｂ）のベンド状態９４ｂに転移させる必要がある。そこで、液晶表示装置の電源が入れられた際には、この液晶表示装置は、液晶層をスプレイ状態からベンド状態に転移させるために転移駆動を行う。すなわち、駆動処理手段１１４のソースドライバ１２６は、画素電極１２２と共通電極との間の電圧が所定の時間だけ２０ボルトから２５ボルトという映像を表示する際の電圧よりも高い電圧になるように、転移駆動のための電圧として、信号線１２４に２０ボルトから２５ボルトの電圧を印加する。従って、液晶層には転移駆動のための電圧が所定時間印加されることになるので、液晶表示パネル１０１の液晶層は、スプレイ状態からベンド状態に転移し、この液晶表示装置の表示動作が可能となる。
【００２６】
上記のように転移駆動が完了し、表示動作が可能になると、液晶表示装置は表示動作を開始する。
【００２７】
この液晶表示装置が表示動作を行う際には、駆動処理手段１１４は、外部から入力される映像信号に応じて、ゲートドライバ１２７、ソースドライバ１２６にそれぞれ制御信号を送る。その結果、ゲートドライバ１２７は、走査線１２３に走査信号電圧を印加して各画素のスイッチング素子１２５を順次オンさせる。
【００２８】
表示期間には、ソースドライバ１２６は、ゲートドライバ１２７が走査線１２３に走査信号電圧を印加するタイミングに合わせて、信号線１２４を通じて映像信号に応じた電圧を各画素の画素電極１２２に印加する。これにより液晶表示パネル１０１の液晶分子９２が変調され、バックライトユニット１０２から出射される光の透過率が変化する。その結果、ユーザの目に映像信号に対応する画像が映る。
【００２９】
また、黒挿入期間には、ソースドライバ１２６は、ゲートドライバ１２７が走査線１２３に走査信号電圧を印加するタイミングに合わせて、信号線１２４を通じて黒色に対応する電圧を各画素の画素電極１２２に印加する。これにより液晶表示パネル１０１の液晶分子９２が変調され、バックライトユニット１０２から出射される光の透過率が変化する。その結果、ユーザの目に黒色の映像が映る。
【００３０】
図１５は、従来の液晶表示装置の動作の一例を示すタイミングチャートである。（ａ）は、各走査線１２３に印加される電圧であり、各走査線１２３に対する走査のタイミングを示している。また、（ｂ）は、各信号線１２４を介して画素電極１２２に印加される電圧の変化を示している。また、（ｃ）は、バックライトユニット１０２が液晶表示パネル１０１を照明する明るさを示している。また、図１５において、Ｎは液晶表示パネル１０１が有している走査線１２３の本数を示している。また、Ｔ１は、１フレーム期間（または１フィールド期間）を示している。また、Ｔ２は映像信号電圧を画素電極１２２に印加する期間である表示期間を示し、Ｔ３は、黒色に対応する電圧を画素電極１２２に印加する期間である黒挿入期間を示している。
【００３１】
図１５に示すように、１フレーム期間Ｔ１は、表示期間Ｔ２と黒挿入期間Ｔ３とから構成されている。そして、図１５の（ａ）に示すように、これらの表示期間Ｔ２と黒挿入期間Ｔ３とのそれぞれにおいて、全ての走査線１２３に対して順次的に走査が行われる。また、液晶表示パネル１０１はドット反転駆動されるため、図１５の（ｂ）に示すように、表示期間Ｔ２と黒挿入期間Ｔ３とのそれぞれにおいて、書き込まれる信号の電圧極性がドット毎に反転するように、画素電極１２２に印加される電圧が変化する。
【００３２】
また、図１５の（ｃ）に示すように、バックライトユニット１０２は、駆動処理手段１１４の制御に従って、点灯と消灯とを交互に繰り返している。すなわち、駆動処理手段１１４は、ＰＷＭ（Ｐｕｌｓｅ  Ｗａｖｅ  Ｍｏｄｕｌａｔｉｏｎ）制御を用いてバックライトユニット１０２の点灯と消灯との比率を調整することにより、バックライトユニット１０２が液晶表示パネル１０１を照明する際の明るさを制御する。
【００３３】
一方、温度センサー１０４は、パネル基板１０３上の温度センサー１０４が設置されている位置の温度を検知して、その検知した温度に対応する電流等の信号を出力する。温度検出手段１１１は、温度センサー１０４から出力されてきた信号に基づいて、温度センサー１０４で検知された温度を検出する。そして、温度検出手段１１１で検出された温度は、パネル温度算出手段１１２に渡される。
【００３４】
パネル温度算出手段１１２は、温度検出手段１１１で検出された温度から、液晶表示パネル１０１の温度を算出する。
【００３５】
図１６は、外気温−２０℃において、液晶表示装置起動後の、液晶表示パネル１０１の表面温度と温度センサー１０４で検出される温度との、それぞれの経時変化を示した図である。図１６に示す「パネル温度」とは、液晶表示パネル１０１の表面温度を示しており、「温度検出（センサー）温度」とは、温度センサー１０４で検出された温度を示している。
【００３６】
図１６を見てわかるように、温度センサー１０４では、液晶表示装置起動直後の低温状態からの表示開始時には、液晶表示パネル１０１の温度との差が小さい温度が検出されるが、時間が経過して温度が上昇していくと、液晶表示パネル１０１の温度との差が大きい温度が検出されるようになる。これは、液晶表示装置起動後に、温度上昇していくバックライトユニット１０２、パネル基板１０３、セット基板１０６などからの放熱などの影響を受けるためである。
【００３７】
したがって、温度センサー１０４で検出された温度から正確な液晶表示パネル１０１の温度を求めるためには、バックライトユニット１０２、パネル基板１０３、セット基板１０６などの熱源からの影響を考慮しなければならない。
【００３８】
パネル温度算出手段１１２は、これらの熱源からの影響を考慮するために、図１６に示すような相関関係の情報を持つ相関関係情報テーブル１１５を予め用意しておき、この相関関係情報テーブル１１５を利用して、温度センサー１０４で検出された温度から液晶表示パネル１０１の温度を算出している。
【００３９】
そして、パネル温度算出手段１１２で算出された液晶表示パネル１０１の温度が、黒挿入率設定手段１１３に送られる。
【００４０】
黒挿入率設定手段１１３は、図１７に示すような、液晶表示パネル１０１の温度と黒挿入期間の比率との関係を示すテーブルを利用して、黒挿入期間の比率を設定する。黒挿入率設定手段１１３は、図１７の関係を示すテーブルに基づいて、パネル温度算出手段１１２で算出された液晶表示パネル１０１の温度に対応する黒挿入期間の比率を求める。
【００４１】
液晶表示装置は、高温になると、液晶分子が動きやすくなるためにベンド配向からスプレイ配向への逆転移が発生しやすくなる。図１７は、その逆転移を防止して、ベンド配向を安定して維持することができるような黒挿入率を特定するために、液晶表示パネル１０１の表面付近の温度と適切な黒挿入率との関係を予め調べることによって求めた、液晶表示パネル１０１の表面温度と黒挿入率の関係を示す図である。
【００４２】
そして、駆動処理手段１１４は、黒挿入率設定手段１１３で求められた黒挿入期間の比率で逆転移防止のための黒色の表示がされるように、液晶表示パネル１０１の駆動を制御する。
【００４３】
このようにして、液晶表示パネル１０１の温度にしたがって必要な黒挿入期間の比率を求め、液晶表示パネル１０１の表示を制御することにより、ＯＣＢモード液晶の逆転移の発生を防止している。
【特許文献１】特開２００３−２９５１５６号公報
【発明の開示】
【発明が解決しようとする課題】
【００４４】
しかしながら、従来の、図１６に示すような相関関係を利用して温度センサー１０４で検出される温度から液晶表示パネル１０１の温度を求める方法では、液晶表示装置が組み込まれた液晶テレビ１００などの電子装置が設置されている周囲の温度を考慮していないため、液晶表示パネル１０１の温度を精度よく求めることができなかった。
【００４５】
すなわち、周囲の温度（外気温）が異なると、温度センサー１０４で検出される同じ温度に対して、そのときの液晶表示パネル１０１の温度が異なってくるので、図１６の相関関係からだけでは正確に液晶表示パネル１０１の温度を求めることができない。
【００４６】
図１８は、液晶表示装置起動後の、液晶表示パネル１０１の表面温度と温度センサー１０４で検出される温度とのそれぞれの経時変化を、異なる外気温のそれぞれについて示した図である。外気温が、−２０℃、０℃、２０℃のそれぞれの場合について示しており、実線が温度センサー１０４で検出された温度を、破線が実際に測定した液晶表示パネル１０１の表面温度を、それぞれ示している。
【００４７】
図１８より、温度センサー１０４で検出される温度と液晶表示パネル１０１の表面温度との相対的な関係は、異なる外気温であってもほぼ等しいが、温度センサー１０４で検出される同じ温度のときの液晶表示パネル１０１の表面温度は、外気温によって異なっていることがわかる。
【００４８】
例えば、温度センサー１０４で検出された温度が４０℃のときの液晶表示パネル１０１の表面温度は、外気温が−２０℃のときには２５℃、外気温が０℃のときには２８℃、外気温が２０℃のときには３３℃であり、外気温によって異なっていることがわかる。
【００４９】
したがって、従来の液晶表示装置で、図１６に示すような相関関係情報テーブル１１５を利用して温度センサー１０４で検出される温度から液晶表示パネル１０１の温度を求める場合、使用する相関関係情報テーブル１１５で想定されている外気温（例えば、０℃とする）よりも高い外気温（例えば、２０℃とする）のときには、この相関関係情報テーブル１１５を用いて求めた液晶表示パネル１０１の温度は、そのときの実際の液晶表示パネル１０１の表面温度よりも低い温度が求められることになり、想定されている外気温よりも低い外気温（例えば、−２０℃とする）のときには、この相関関係情報テーブル１１５を用いて求めた液晶表示パネル１０１の温度は、そのときの実際の液晶表示パネル１０１の表面温度よりも高い温度が求められることになる。
【００５０】
このように、温度センサー１０４で検出される温度から液晶表示パネル１０１の温度を求める際に用いる相関関係情報テーブル１１５で想定している外気温よりも高い外気温の場合には、その相関関係情報テーブル１１５から求められた液晶表示パネル１０１の温度に基づいて決定される黒挿入期間の比率が、実際の液晶表示パネル１０１の温度に対して必要な黒挿入期間の比率よりも小さい比率となってしまう。したがって、この場合、ＯＣＢモード液晶の逆転移が発生してしまうことになる。
【００５１】
温度センサー１０４が、液晶表示パネル１０１の表面温度を直接検出できればよいが、構造上液晶表示パネル１０１の表面に取り付けることができないため、他の位置に取り付けて、そこで検出される温度から液晶表示パネル１０１の温度を推定する構成にしなければならない。
【００５２】
一方、ＯＣＢモード液晶の特性は、ＴＮ配向液晶よりも温度による影響を大きく受けるため、ＯＣＢモードの液晶表示素子を利用した液晶表示装置では、液晶表示パネル１０１の温度をより正確に求める必要がある。
【００５３】
本発明は、上述した従来の課題を解決するもので、液晶表示パネルの温度をより正確に推定できる、液晶表示装置、電子装置、電子装置の製造方法等を提供することを目的とする。
【課題を解決するための手段】
【００５４】
上述した課題を解決するために、第１の本発明は、
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するために、所定の位置に配置されている第１の温度センサーと、
外気温を検出するための第２の温度センサーと、
前記信号線に電圧を供給するソースドライバと、前記走査線にゲート信号を供給するゲートドライバと、前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備え、
前記パネル温度推定手段は、前記第１の温度センサーで検出される温度と前記液晶表示パネルの温度との相関関係情報を、複数種類の前記外気温に対応して、複数予め有しており、前記第２の温度センサーから得られる外気温情報に基づいて前記複数の相関関係情報の中から適用する相関関係情報を選択し、選択した前記相関関係情報を用いて前記第１の温度センサーで検出された温度から前記液晶表示パネルの温度を推定する、液晶表示装置である。
【００５５】
また、第２の本発明は、
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するために、所定の位置に配置されている第１の温度センサーと、
外気温を検出するための第２の温度センサーと、
前記信号線に電圧を供給するソースドライバと、前記走査線にゲート信号を供給するゲートドライバと、前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備え、
前記パネル温度推定手段は、所定の外気温のときにおける前記第１の温度センサーで検出される温度と前記液晶表示パネルの温度との相関関係情報、および前記第２の温度センサーから得られる外気温情報に応じて前記相関関係情報を前記外気温に対応したものに更正するためのルールを有しており、前記外気温情報から前記ルールに基づき前記相関関係情報を更正し、前記更正された相関関係情報を用いて前記第１の温度センサーで検出された温度から前記液晶表示パネルの温度を推定する、液晶表示装置である。
【００５６】
また、第３の本発明は、
前記第２の温度センサーは、他の熱源の影響を受けずに外気温を検出できる位置に配置されており、
前記パネル温度推定手段は、前記外気温情報として、前記第２の温度センサーで検出された温度を用いる、第１または第２の本発明の液晶表示装置である。
【００５７】
また、第４の本発明は、
第１または第２の本発明の液晶表示装置が組み込まれた電子装置であって、
前記第２の温度センサーは、その筐体の外側に取り付けられている、電子装置である。
【００５８】
また、第５の本発明は、
その電子装置を制御する回路が実装されているセット基板を備え、第１または第２の本発明の液晶表示装置が組み込まれている電子装置であって、
前記第２の温度センサーは、前記セット基板上に配置されており、
前記第２の温度センサーが出力する外気温信号は、前記セット基板の回路に出力され、
前記セット基板の回路は、前記外気温情報として前記外気温信号を前記パネル温度推定手段に入力し、
前記パネル温度推定手段は、前記セット基板から前記第２の温度センサーへの温度影響を考慮して、入力された前記外気温情報から外気温を推定できる、補正係数を予め有しており、前記補正係数を用いて前記外気温情報から外気温を推定し、前記推定した外気温に基づいて前記液晶表示パネルの温度を推定する、電子装置である。
【００５９】
また、第６の本発明は、
その電子装置を制御する回路が実装されているセット基板を備え、第１または第２の本発明の液晶表示装置が組み込まれている電子装置であって、
前記第２の温度センサーは、前記セット基板上に配置されており、
前記セット基板は、前記セット基板から前記第２の温度センサーへの温度影響を考慮して、前記第２の温度センサーから出力される外気温信号を補正して外気温を推定できる、補正係数を予め有しており、前記補正係数を用いて前記第２の温度センサーから出力された前記外気温信号を補正し、前記補正した外気温信号を前記外気温情報として前記パネル温度推定手段に入力する、電子装置である。
【００６０】
また、第７の本発明は、
その電子装置を制御する回路が実装されているセット基板を備え、第２の本発明の液晶表示装置が組み込まれている電子装置であって、
前記第２の温度センサーは、前記セット基板上に配置されており、
前記セット基板は、前記第２の温度センサーで検出された温度から前記相関関係情報を前記検出された温度に対応した相関関係情報に更正するためのオフセット量を決定するオフセット量決定手段を有しており、前記決定したオフセット量を前記外気温情報として前記パネル温度推定手段に入力する、電子装置である。
【００６１】
また、第８の本発明は、
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するための、所定の位置に配置されている第１の温度センサーと、
前記信号線に電圧を供給するソースドライバと、前記走査線にゲート信号を供給するゲートドライバと、前記第１の温度センサーで検出された温度に基づいて前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備えた液晶表示装置が組み込まれた電子装置であって、
前記パネル温度推定手段は、前記第１の温度センサーで検出される温度と前記液晶表示パネルの温度との相関関係情報を予め格納しておく相関関係情報格納手段を有しており、
前記予め格納されている相関関係情報とは、想定される特定の外気温の環境で動作させることにより、前記第１の温度センサーで検出される温度と前記液晶表示パネルの温度との相関関係を取得しておいたものである、電子装置である。
【００６２】
また、第９の本発明は、
マトリックス状に配置された信号線および走査線、および前記信号線および前記走査線の交点に設けられたＯＣＢモード液晶を使用した液晶表示素子を有する液晶表示パネルと、
前記液晶表示パネルの背面に配置され、前記液晶表示パネルを照明するバックライトユニットと、
前記液晶表示パネルの温度を検出するための第１の温度センサーと、
前記信号線に電圧を供給するソースドライバと、前記走査線にゲート信号を供給するゲートドライバと、前記第１の温度センサーで検出された温度に基づいて前記液晶表示パネルの温度を推定するパネル温度推定手段と、前記パネル温度推定手段で推定された前記液晶表示パネルの温度に基づいて、前記ソースドライバ、前記ゲートドライバ、および前記バックライトユニットを制御するパネル制御手段とを有する、パネル制御回路とを備えた液晶表示装置が組み込まれており、その電子装置を制御する回路が実装されているセット基板を備えている電子装置の製造方法であって、
前記第１の温度センサーを、前記パネル制御回路と前記セット基板との間に組み込む、組み立てステップと、
組み立てた後に、想定される特定の外気温の環境で動作させて、前記第１の温度センサーで検出される温度と前記液晶表示パネルの温度との相関関係を示す相関関係情報を取得する、相関関係情報取得ステップと、
前記パネル温度推定手段が、前記第１の温度センサーで検出された温度に基づいて前記液晶表示パネルの温度を推定する際に使用するための、前記相関関係情報を予め格納しておく、相関関係情報格納ステップとを備えた、電子装置の製造方法である。
【００６３】
また、第１０の本発明は、
第１または第２の本発明の液晶表示装置の、前記液晶表示パネルの温度を推定する前記パネル温度推定手段、および／または、前記パネル温度推定手段で推定された前記液晶表示パネルの温度に基づいて、前記ソースドライバ、前記ゲートドライバ、前記バックライトユニットを制御する前記パネル制御手段、としてコンピュータを機能させるためのプログラムである。
【００６４】
また、第１１の本発明は、
第１０の本発明のプログラムを記録した記録媒体であって、コンピュータにより処理可能な記録媒体である。
【発明の効果】
【００６５】
本発明により、液晶表示パネルの温度をより正確に推定できる、液晶表示装置、電子装置、電子装置の製造方法等を提供できる。
【発明を実施するための最良の形態】
【００６６】
以下、本発明の実施の形態について、図面を参照しながら説明する。
【００６７】
（実施の形態１）
図１は、本発明の実施の形態１の液晶表示装置が組み込まれた液晶テレビのシステム構成図を示している。なお、ここで説明する本実施の形態１の液晶テレビ１０が、本発明の電子装置の一例にあたる。
【００６８】
本実施の形態１の液晶テレビ１０の筐体１７に、液晶表示パネル１１、バックライトユニット１２、パネル基板１３で構成される液晶表示装置が組み込まれている。
【００６９】
液晶表示パネル１１の背面に配置されているバックライトユニット１２は、複数の冷陰極管１８を有している。そして、パネル基板１３が、バックライトユニット１２の背面に配置されており、そのパネル基板１３上には、第１の温度センサー１４が配置されている。パネル基板１３には、ソースドライバやゲートドライバ等の、液晶表示パネル１１およびバックライトユニット１２を制御するための回路が実装されている。
【００７０】
また、図１に示すように、液晶テレビ１０を制御するテレビチューナー等の回路が実装されているセット基板１６が、筐体１７の背面側に配置されており、第２の温度センサー１５が、筐体１７の背面の外側に取り付けられている。そして、第２の温度センサー１５は、ケーブルによりパネル基板１３に接続されている。
【００７１】
図２は、図１に示した本実施の形態１の液晶テレビ１０に組み込まれている液晶表示装置のブロック図を示している。
【００７２】
この液晶表示装置のパネル基板１３には、第１の温度センサー１４以外に、温度検出手段２１、外気温検出手段２２、パネル温度推定手段２３、黒挿入率設定手段２４、駆動処理手段２５、外気温毎相関関係情報テーブル２６が備えられている。
【００７３】
液晶表示パネル１１は、ＯＣＢモードの液晶表示素子を用いた液晶表示パネルである。
【００７４】
バックライトユニット１２は、液晶表示パネル１１を照明する装置であり、冷陰極管１８などから構成されている。
【００７５】
第１の温度センサー１４は、液晶表示パネル１１の温度を取得するために設けられている温度センサーであり、その第１の温度センサー１４が設置されている位置の温度に対応する電流等の信号を出力する手段である。
【００７６】
第２の温度センサー１５は、液晶テレビ１０が設置されている周囲の温度（外気温）を検知し、その検知した外気温に対応する電流等の信号を出力する手段である。
【００７７】
温度検出手段２１は、第１の温度センサー１４から出力されてきた信号に基づいて、その第１の温度センサー１４で検知された温度を検出する手段である。
【００７８】
また、外気温検出手段２２は、第２の温度センサー１５から出力されてきた信号に基づいて、その第２の温度センサー１５で検知された外気温を検出する手段である。
【００７９】
外気温毎相関関係情報テーブル２６は、複数の外気温のそれぞれにおける、第１の温度センサー１４で検出される温度と液晶表示パネル１１の温度との相関関係を示す複数のテーブルであり、予め格納されているものである。
【００８０】
パネル温度推定手段２３は、外気温毎相関関係情報テーブル２６を利用して、温度検出手段２１から通知される第１の温度センサー１４で検出された温度と、外気温検出手段２２から通知される第２の温度センサー１５で検出された外気温から、液晶表示パネル１１の温度を推定して求める手段である。
【００８１】
黒挿入率設定手段２４は、パネル温度推定手段２３で求められた液晶表示パネル１１の温度に応じて黒挿入期間の比率を設定する手段である。
【００８２】
駆動処理手段２５は、挿入する黒色データが黒挿入率設定手段２４で設定された黒挿入期間の比率で、映像信号および挿入する黒色データが液晶表示パネル１１に表示されるように、液晶表示パネル１１およびバックライトユニット１２を駆動する手段である。
【００８３】
なお、パネル基板１３が、本発明のパネル制御回路の一例にあたり、駆動処理手段２５が、本発明のパネル制御手段の一例にあたる。
【００８４】
次に、本実施の形態１の液晶テレビ１０に組み込まれている液晶表示装置の動作を説明する。
【００８５】
本実施の形態１の液晶表示装置は、電源が入れられた際には、液晶表示パネル１１の液晶層をスプレイ状態からベンド状態に転移させるための転移駆動を行う。従来の液晶表示装置と同様に、液晶表示パネル１１の画素電極と共通電極との間の電圧を所定の時間だけ２０ボルトから２５ボルトという映像を表示する際の電圧よりも高い電圧にするために、駆動処理手段２５のソースドライバが、信号線に２０ボルトから２５ボルトの電圧を印加する。液晶表示パネル１１の液晶層には転移駆動のための電圧が所定時間印加されることになるので、液晶表示パネル１１の液晶層は、スプレイ状態からベンド状態に転移し、本実施の形態１の液晶表示装置の表示動作が可能となる。この転移駆動が完了し、表示動作が可能になると、本実施の形態１の液晶表示装置は表示動作を開始する。
【００８６】
第１の温度センサー１４は、パネル基板１３上の第１の温度センサー１４が設置されている位置の温度を検知して、その検知した温度に対応する電流等の信号を出力する。温度検出手段２１は、第１の温度センサー１４から出力されてきた信号に基づいて、第１の温度センサー１４で検知された温度を検出する。そして、その検出した温度情報をパネル温度推定手段２３に渡す。
【００８７】
第２の温度センサー１５は、外気温を検知して、その検知した外気温に対応する電流等の信号をパネル基板１３に入力する。外気温検出手段２２は、第２の温度センサー１５から入力された信号に基づいて、第２の温度センサー１５で検知された外気温を検出する。そして、その検出した外気温情報をパネル温度推定手段２３に渡す。
【００８８】
パネル温度推定手段２３は、外気温毎相関関係情報テーブル２６の中から、外気温検出手段２２から受け取った外気温に対応する相関関係情報テーブルを選択する。そして、その選択した相関関係情報テーブルを利用して、第１の温度センサー１４で検出された温度から液晶表示パネル１１の温度を求める。
【００８９】
外気温毎相関関係情報テーブル２６は、図１６に示すような、第１の温度センサー１４で検出される温度と液晶表示パネル１１の温度との相関関係を示す相関関係情報テーブルを、複数の外気温毎に複数有するものである。例えば、外気温が２０℃のときには、パネル温度推定手段２３は、外気温毎相関関係情報テーブル２６の中から外気温２０℃用の相関関係情報テーブルを選択して使用し、外気温が３０℃のときには、外気温３０℃用の相関関係情報テーブルを選択して使用する。
【００９０】
そして、パネル温度推定手段２３で求められた液晶表示パネル１１の温度が、黒挿入率設定手段２４に送られる。
【００９１】
黒挿入率設定手段２４は、図１７に示すような液晶表示パネル１１の温度と黒挿入期間の比率との関係を示すテーブルを利用して、パネル温度推定手段２３で求められた液晶表示パネル１１の温度から黒挿入期間の比率を求める。
【００９２】
そして、駆動処理手段２５は、従来の液晶表示装置と同様に、黒挿入率設定手段２４で求められた黒挿入期間の比率で逆転移防止のために挿入する黒色データが表示されるように、液晶表示パネル１１の駆動を制御して、液晶表示パネル１１に映像信号を表示させる。
【００９３】
すなわち、駆動処理手段２５は、黒挿入率設定手段２４で求められた黒挿入期間の比率となるように、図１５に示すように、Ｔ１（１フレーム期間または１フィールド期間）をＴ２（表示期間）とＴ３（黒挿入期間）に分けて、表示期間にはユーザの目に映像信号に対応する画像が映るように、黒挿入期間にはユーザの目に黒色の映像が映るように、ソースドライバ、ゲートドライバ、およびバックライトユニット１０２を制御する。
【００９４】
本実施の形態１の液晶表示装置は、パネル温度推定手段２３が、外気温毎相関関係情報テーブル２６の中から、そのときの外気温に対応したテーブルを選択して使用するので、外気温が変わっても、より正確に液晶表示パネル１１の温度を推定することができる。
【００９５】
なお、本実施の形態１では、第２の温度センサー１５を、筐体１７の背面の外側に取り付けることとしたが、他の熱源からの温度の影響が少なく外気温を検知できる位置であれば、これ以外のどこに配置してもよい。
【００９６】
また、外気温毎相関関係情報テーブル２６に用意しておく相関関係情報テーブルの外気温の種類は、本実施の形態１の液晶表示装置が組み込まれる電子装置の使用状況を考慮して設定するとよい。例えば、カーナビのように非常に低温から非常に高温までの広い温度範囲で使用されるような場合には、想定される非常に低温の外気温に対応するテーブルから、想定される非常に高温の外気温に対応するテーブルまでを用意しておくとよいし、室内で使われることが想定されているような液晶テレビなどの場合には、用意するテーブルの外気温の種類の下限と上限との温度範囲を狭くしておいて、その温度範囲内を細かく分けた複数のテーブルを用意するようにしてもよい。
【００９７】
また、本実施の形態１では、本発明の相関関係情報として、図１６に示すような、第１の温度センサー１４で検出される温度と液晶表示パネル１１の温度との相関関係を示す相関関係情報テーブルを用いることとしたが、第１の温度センサー１４で検出された温度から液晶表示パネル１１の温度を算出できる、外気温毎の関数や数式であってもよい。その場合には、外気温毎相関関係情報テーブル２６の代わりに、外気温毎の複数の関数や数式を予め格納しておき、パネル温度推定手段２３が、外気温に応じて使用する関数や数式をその中から選択し、その選択した関数や数式を用いて、第１の温度センサー１４で検出された温度から液晶表示パネル１１の温度を算出すればよい。
【００９８】
（実施の形態２）
本発明の実施の形態２の液晶表示装置が組み込まれた液晶テレビのシステム構成は、実施の形態１と同様の構成であり、図１に示す通りである。
【００９９】
本実施の形態２の液晶表示装置は、パネル基板１３の構成が実施の形態１とは異なる。
【０１００】
図３は、本実施の形態２の液晶テレビ１０に組み込まれている液晶表示装置のブロック図を示している。図２に示した実施の形態１と同じ構成部分には、同じ符号を用いている。
【０１０１】
以下、実施の形態１と異なる部分について説明する。
【０１０２】
実施の形態１では、外気温毎相関関係情報テーブル２６に、第１の温度センサー１４で検出される温度と液晶表示パネル１１の温度との相関関係を示す相関関係情報テーブルを、複数の外気温毎に複数有していたが、本実施の形態２の相関関係基準情報テーブル２８は、基準とする１種類の外気温における１つの相関関係情報テーブルだけを有している。
【０１０３】
本実施の形態２のパネル温度推定手段２７は、外気温検出手段２２から受け取った外気温情報にしたがって、相関関係基準情報テーブル２８を、基準とする外気温と検出された外気温との差分だけシフトさせて、そのシフトさせた相関関係基準情報テーブル２８を利用して、第１の温度センサー１４で検出された温度から液晶表示パネル１１の温度を推定して求める。
【０１０４】
第１の温度センサー１４で検出される温度と実際の液晶表示パネル１１の温度との相対的な関係は、図１８に示すように、外気温が変わってもほぼ同じ関係にある。本実施の形態２は、この関係を利用するものである。
【０１０５】
例えば、第１の温度センサー１４で検出される温度と実際の液晶表示パネル１１の温度とが図１８のような関係である場合、基準とする外気温を０℃として、相関関係基準情報テーブル２８に外気温０℃におけるテーブルを用意しておく。外気温検出手段２２から受け取る第２の温度センサー１５で検出された外気温が２０℃であったときには、パネル温度推定手段２７は、相関関係基準情報テーブル２８の相関関係情報を＋２０℃分シフトし、その＋２０℃分シフトした相関関係情報を利用して、第１の温度センサー１４で検出された温度から液晶表示パネル１１の温度を求める。そして、外気温検出手段２２から受け取る第２の温度センサー１５で検出された外気温が−２０℃であったときには、パネル温度推定手段２７は、相関関係基準情報テーブル２８の相関関係情報を−２０℃分シフトし、その−２０℃分シフトした相関関係情報を利用して、第１の温度センサー１４で検出された温度から液晶表示パネル１１の温度を求める。
【０１０６】
なお、この場合の、第２の温度センサー１５で検出された外気温にしたがって相関関係基準情報テーブル２８の相関関係情報をシフトさせることが、本発明の、外気温情報に応じて相関関係情報を外気温に対応したものに更正するためのルールの一例にあたる。
【０１０７】
このように、本実施の形態２の液晶表示装置は、そのときの外気温を考慮して、第１の温度センサー１４で検出された温度から液晶表示パネル１１の温度を推定するので、より正確に液晶表示パネル１１の温度を求めることができる。
【０１０８】
なお、本実施の形態２では、第２の温度センサー１５を、筐体１７の背面の外側に取り付けることとしたが、他の熱源からの温度の影響が少なく外気温を検知できる位置であれば、これ以外のどこに配置してもよい。
【０１０９】
また、相関関係基準情報テーブル２８に使用する基準とする外気温は、本実施の形態２の液晶表示装置が組み込まれる電子装置の想定される使用状況で、最も使用される状況が多そうな外気温とすることが望ましい。相関関係基準情報テーブル２８をシフトさせずにそのまま利用する場合に、最も正確に液晶表示パネル１１の温度を求められるからである。
【０１１０】
なお、本実施の形態２では、本発明の相関関係情報として、図１６に示すような、第１の温度センサー１４で検出される温度と液晶表示パネル１１の温度との相関関係を示す相関関係基準情報テーブル２８を用いることとしたが、第１の温度センサー１４で検出された温度から液晶表示パネル１１の温度を算出できる、外気温をパラメータとする関数であってもよい。その場合には、相関関係基準情報テーブル２８の代わりにその関数を予め格納しておき、パネル温度推定手段２３が、外気温に応じたパラメータをその関数に代入して、その関数を用いて、第１の温度センサー１４で検出された温度から液晶表示パネル１１の温度を算出すればよい。
【０１１１】
（実施の形態３）
図４は、本発明の実施の形態３の液晶表示装置が組み込まれた液晶テレビのシステム構成図を示している。ここで説明する本実施の形態３の液晶テレビ３０が、本発明の電子装置の一例にあたる。なお、図１に示した実施の形態１の液晶テレビ１０と同じ構成部分には、同じ符号を用いている。
【０１１２】
本実施の形態３の液晶テレビ３０の筐体１７に、液晶表示パネル１１、バックライトユニット１２、パネル基板３１で構成される液晶表示装置が組み込まれている。
【０１１３】
液晶表示パネル１１の背面に配置されているバックライトユニット１２は、複数の冷陰極管１８を有している。そして、パネル基板３１が、バックライトユニット１２の背面に配置されており、そのパネル基板３１上には、第１の温度センサー１４が配置されている。パネル基板３１には、ソースドライバやゲートドライバ等の、液晶表示パネル１１およびバックライトユニット１２を制御するための回路が実装されている。
【０１１４】
また、図４に示すように、液晶テレビ３０を制御するテレビチューナー等の回路が実装されているセット基板３２が、筐体１７の背面側に配置されており、セット基板３２上には、第２の温度センサー３３が配置されている。そして、セット基板３２は、ケーブルによりパネル基板３１接続されている。
【０１１５】
図５は、図４に示した本実施の形態３の液晶テレビ３０に組み込まれている液晶表示装置のブロック図を示している。なお、図２に示した実施の形態１の液晶表示装置と同じ構成部分には、同じ符号を用いている。
【０１１６】
この液晶表示装置のパネル基板３１には、第１の温度センサー１４以外に、温度検出手段２１、補正外気温算出手段３４、パネル温度推定手段２３、黒挿入率設定手段２４、駆動処理手段２５、外気温毎相関関係情報テーブル２６が備えられている。
【０１１７】
液晶表示パネル１１は、ＯＣＢモードの液晶表示素子を用いた液晶表示パネルである。
【０１１８】
バックライトユニット１２は、液晶表示パネル１１を照明する装置であり、冷陰極管１８などから構成されている。
【０１１９】
第１の温度センサー１４は、液晶表示パネル１１の温度を取得するために設けられている温度センサーであり、その第１の温度センサー１４が設置されている位置の温度に対応する電流等の信号を出力する手段である。
【０１２０】
温度検出手段２１は、第１の温度センサー１４から出力されてきた信号に基づいて、その第１の温度センサー１４で検知された温度を検出する手段である。
【０１２１】
第２の温度センサー３３は、液晶テレビ３０が設置されている周囲の温度（外気温）の影響を受ける位置に設置されており、その第２の温度センサー３３が設置されている位置の温度に対応する電流等の信号を出力する手段である。第２の温度センサー３３は、セット基板３２上に配置されているので、セット基板３２等の熱源の温度の影響も受ける。
【０１２２】
補正外気温算出手段３４は、第２の温度センサー３３から出力されてきた信号に基づいて、外気温を推定して求める手段である。
【０１２３】
外気温毎相関関係情報テーブル２６は、複数の外気温のそれぞれにおける、第１の温度センサー１４で検出される温度と液晶表示パネル１１の温度との相関関係を示す複数のテーブルであり、予め格納されているものである。
【０１２４】
パネル温度推定手段２３は、外気温毎相関関係情報テーブル２６を利用して、温度検出手段２１から通知される第１の温度センサー１４で検出された温度と、補正外気温算出手段３４から通知される補正外気温算出手段３４で求められた外気温から、液晶表示パネル１１の温度を推定して求める手段である。
【０１２５】
黒挿入率設定手段２４は、パネル温度推定手段２３で求められた液晶表示パネル１１の温度に応じて黒挿入期間の比率を設定する手段である。
【０１２６】
駆動処理手段２５は、挿入する黒色データが黒挿入率設定手段２４で設定された黒挿入期間の比率で、映像信号および挿入する黒色データが液晶表示パネル１１に表示されるように、液晶表示パネル１１およびバックライトユニット１２を駆動する手段である。
【０１２７】
なお、パネル基板３１が、本発明のパネル制御回路の一例にあたり、駆動処理手段２５が、本発明のパネル制御手段の一例にあたる。
【０１２８】
次に、本実施の形態３の液晶テレビ３０に組み込まれている液晶表示装置の動作を説明する。
【０１２９】
本実施の形態３の液晶表示装置は、まず、電源が入れられた際に、液晶表示パネル１１の液晶層をスプレイ状態からベンド状態に転移させるための転移駆動を行う。
【０１３０】
第１の温度センサー１４は、パネル基板３１上の第１の温度センサー１４が設置されている位置の温度を検知して、その検知した温度に対応する電流等の信号を出力する。温度検出手段２１は、第１の温度センサー１４から出力されてきた信号に基づいて、第１の温度センサー１４で検知された温度を検出する。そして、その検出した温度情報をパネル温度推定手段２３に渡す。
【０１３１】
一方、第２の温度センサー３３は、セット基板３２上の第２の温度センサー３３が設置されている位置の温度を検知して、その検知した温度に対応する電流等の信号を出力する。
【０１３２】
補正外気温算出手段３４は、第２の温度センサー３３から入力された信号に基づいて、外気温補正係数を用いて、そのときの外気温を推定し求める。そして、その求めた外気温情報をパネル温度推定手段２３に渡す。外気温補正係数とは、第２の温度センサー３３がセット基板３２等の熱源から受ける温度の影響を補正して、第２の温度センサー３３で検出された温度から外気温を求めるための補正係数である。この外気温補正係数は、予め補正外気温算出手段３４に格納されている。
【０１３３】
パネル温度推定手段２３は、外気温毎相関関係情報テーブル２６の中から、補正外気温算出手段３４から受け取った外気温に対応する相関関係情報テーブルを選択する。そして、その選択した相関関係情報テーブルを利用して、第１の温度センサー１４で検出された温度から液晶表示パネル１１の温度を求める。
【０１３４】
外気温毎相関関係情報テーブル２６は、図１６に示すような、第１の温度センサー１４で検出される温度と液晶表示パネル１１の温度との相関関係を示す相関関係情報テーブルを、複数の外気温毎に複数有するものである。
【０１３５】
そして、パネル温度推定手段２３で求められた液晶表示パネル１１の温度が、黒挿入率設定手段２４に送られる。
【０１３６】
黒挿入率設定手段２４は、図１７に示すような液晶表示パネル１１の温度と黒挿入期間の比率との関係を示すテーブルを利用して、パネル温度推定手段２３で求められた液晶表示パネル１１の温度から黒挿入期間の比率を求める。
【０１３７】
そして、駆動処理手段２５は、従来の液晶表示装置と同様に、黒挿入率設定手段２４で求められた黒挿入期間の比率で逆転移防止のために挿入する黒色データが表示されるように、液晶表示パネル１１の駆動を制御して、液晶表示パネル１１に映像信号を表示させる。
【０１３８】
図６は、図４に示した本実施の形態３の液晶テレビ３０に組み込まれている、図５とは異なる他の構成の液晶表示装置のブロック図を示している。なお、図５に示した液晶表示装置と同じ構成部分には、同じ符号を用いている。
【０１３９】
図６に示す本実施の形態３の液晶表示装置は、図５に示す構成の液晶表示装置とは、補正外気温算出手段を、パネル基板３１側ではなく、セット基板３２側に設けた点が異なる。つまり、図５の補正外気温算出手段３４の代わりに、セット基板３２上に補正外気温算出手段３５を設けている。
【０１４０】
図６に示す補正外気温算出手段３５は、図５に示す補正外気温算出手段３４と同じ処理を行なう。
【０１４１】
図６に示す本実施の形態３の液晶表示装置では、補正外気温算出手段３５は、第２の温度センサー３３から入力された信号に基づいて、外気温補正係数を用いて、そのときの外気温を推定し求める。そして、その求めた外気温情報をパネル基板３１に送信する。
【０１４２】
そして、パネル温度推定手段２３は、外気温毎相関関係情報テーブル２６の中から、補正外気温算出手段３５から受け取った外気温に対応する相関関係情報テーブルを選択し、その選択した相関関係情報テーブルを利用して、第１の温度センサー１４で検出された温度から液晶表示パネル１１の温度を求める。
【０１４３】
上記以外の動作は、図５に示した構成の本実施の形態３の液晶表示装置の動作と同様である。つまり、図５の構成の液晶表示装置では、第２の温度センサーが出力した信号を、パネル基板３１がセット基板３２からそのまま受信するのに対し、図６の構成の液晶表示装置では、パネル基板３１が、セット基板３２から外気温情報の信号を受信する点のみが異なる。
【０１４４】
図５および図６に示したいずれの本実施の形態３の液晶表示装置も、パネル温度推定手段２３が、外気温毎相関関係情報テーブル２６の中から、そのときの外気温に対応したテーブルを選択して使用するので、外気温が変わっても、より正確に液晶表示パネル１１の温度を推定することができる。
【０１４５】
実施の形態１および２の液晶表示装置では、第２の温度センサー１５を外気温を検出できる位置に配置しなければならないのに対し、本実施の形態３の液晶表示装置では、第２の温度センサー３３を、セット基板３２等の他の熱源の温度の影響を受ける位置であっても外気温の影響を受ける位置であればどこに配置してもよい。したがって、本実施の形態３では、第２の温度センサー３３をセット基板３２上に配置するものとして説明したが、外気温の影響を受ける位置であれば、その他のどの位置に配置してもよい。
【０１４６】
また、本実施の形態３の液晶表示装置は、第２の温度センサー３３として専用の温度センサーを設けなくても、パネル基板３１が、他で使用している温度センサーの情報を受信する構成にすることもできる。例えば、本実施の形態３の液晶表示装置をカーナビゲーションに組み込んだような場合には、外気温情報としてカーエアコンが使用している車室温度情報などを受信して使用するようにしてもよい。
【０１４７】
なお、補正外気温算出手段で用いる外気温補正係数は、第２の温度センサー３３から受け取る信号から外気温を推定できればよく、補正テーブルであってもよいし、補正関数などであってもよい。また、この外気温補正係数は、本実施の形態３の液晶表示装置を電子装置に組み込んだ状態で、電子装置毎に、測定して決定し、設定しておく。
【０１４８】
（実施の形態４）
本発明の実施の形態４の液晶表示装置が組み込まれた液晶テレビのシステム構成は、実施の形態３と同様の構成であり、図４に示す通りである。
【０１４９】
本実施の形態４の液晶表示装置は、パネル基板３１およびセット基板３２の構成が実施の形態３とは異なる。
【０１５０】
図７は、本実施の形態４の液晶テレビ３０に組み込まれている液晶表示装置のブロック図を示している。図６に示した実施の形態３と同じ構成部分には、同じ符号を用いている。
【０１５１】
以下、実施の形態３と異なる部分について説明する。
【０１５２】
本実施の形態４のセット基板３２には、第２の温度センサー３３以外に、相関関係オフセット量算出手段４１を備えている。
【０１５３】
また、パネル基板３１は、基準とする１種類の外気温における１つの相関関係情報テーブルだけを有する相関関係基準情報テーブル２８を備えている。この相関関係基準情報テーブル２８は、実施の形態２で使用する相関関係基準情報テーブル２８と同じものである。
【０１５４】
次に、本実施の形態４の液晶表示装置の動作について、実施の形態３と異なる部分について説明する。
【０１５５】
第２の温度センサー３３は、セット基板３２上の第２の温度センサー３３が設置されている位置の温度を検知して、その検知した温度に対応する電流等の信号を出力する。
【０１５６】
相関関係オフセット量算出手段４１は、第２の温度センサー３３から入力された信号に基づいて、相関関係オフセット量を算出する。そして、算出した相関関係オフセット量を、パネル基板３１に送信する。ここで算出する相関関係オフセット量とは、パネル温度推定手段４２が液晶表示パネル１１の温度を求める際に相関関係基準情報テーブル２８の相関関係をシフトさせたものを利用するが、このときに相関関係基準情報テーブル２８の相関関係をシフトさせる量である。
【０１５７】
なお、相関関係オフセット量算出手段４１が、本発明のオフセット量決定手段の一例にあたり、ここでの相関関係オフセット量が、本発明の、検出された温度に対応した相関関係情報に更正するためのオフセット量の一例にあたる。
【０１５８】
そして、本実施の形態４のパネル温度推定手段４２は、相関関係オフセット量算出手段４１から受け取った相関関係オフセット量の分だけ、相関関係基準情報テーブル２８をシフトさせて、そのシフトさせた相関関係基準情報テーブル２８を利用して、第１の温度センサー１４で検出された温度から液晶表示パネル１１の温度を推定して求める。
【０１５９】
第１の温度センサー１４で検出される温度と実際の液晶表示パネル１１の温度との相対的な関係は、図１８に示すように、外気温が変わってもほぼ同じ関係にある。本実施の形態４は、この関係を利用するものである。
【０１６０】
例えば、第１の温度センサー１４で検出される温度と実際の液晶表示パネル１１の温度とが図１８のような関係である場合、基準とする外気温を０℃として、相関関係基準情報テーブル２８に外気温０℃におけるテーブルを用意しておく。第２の温度センサー３３で検出された外気温が２０℃であったときには、相関関係オフセット量算出手段４１は、相関関係オフセット量として「＋２０℃」を算出し、パネル温度推定手段４２に送信する。また、第２の温度センサー３３で検出された外気温が−２０℃であったときには、相関関係オフセット量算出手段４１は、相関関係オフセット量として「−２０℃」を算出し、パネル温度推定手段４２に送信する。そして、パネル温度推定手段４２は、相関関係基準情報テーブル２８の相関関係情報を、相関関係オフセット量算出手段４１から受信した相関関係オフセット量（この場合、「＋２０℃」または「−２０℃」）分シフトした相関関係情報を利用して、第１の温度センサー１４で検出された温度から液晶表示パネル１１の温度を求める。
【０１６１】
このように、本実施の形態４の液晶表示装置は、そのときの外気温を考慮して、第１の温度センサー１４で検出された温度から液晶表示パネル１１の温度を推定するので、より正確に液晶表示パネル１１の温度を求めることができる。
【０１６２】
（実施の形態５）
図８は、本発明の実施の形態５の液晶表示装置が組み込まれた液晶テレビのシステム構成図を示している。なお、ここで説明する本実施の形態５の液晶テレビ５０が、本発明の電子装置の一例にあたる。
【０１６３】
本実施の形態５の液晶表示装置は、従来の液晶表示装置と同じ構成である。図１に示した実施の形態１の液晶テレビ１０と同じ構成部分には、同じ符号を用いている。
【０１６４】
本実施の形態５の液晶テレビ５０の筐体１７に、液晶表示パネル１１、バックライトユニット１２、パネル基板５１で構成される液晶表示装置が組み込まれている。
【０１６５】
液晶表示パネル１１の背面に配置されているバックライトユニット１２は、複数の冷陰極管１８を有している。そして、パネル基板５１が、バックライトユニット１２の背面に配置されており、そのパネル基板５１上には、第１の温度センサー１４が配置されている。パネル基板５１には、ソースドライバやゲートドライバ等の、液晶表示パネル１１およびバックライトユニット１２を制御するための回路が実装されている。
【０１６６】
また、図８に示すように、液晶テレビ５０を制御するテレビチューナー等の回路が実装されているセット基板１６が、筐体１７の背面側に配置されている。
【０１６７】
図９は、図８に示した本実施の形態５の液晶テレビ５０に組み込まれている液晶表示装置のブロック図を示している。図２に示す実施の形態１の液晶表示装置と同じ構成部分には、同じ符号を用いている。
【０１６８】
この液晶表示装置のパネル基板５１には、第１の温度センサー１４以外に、温度検出手段２１、パネル温度推定手段５２、黒挿入率設定手段２４、駆動処理手段２５、相関関係情報格納手段５３が備えられている。
【０１６９】
液晶表示パネル１１は、ＯＣＢモードの液晶表示素子を用いた液晶表示パネルである。
【０１７０】
バックライトユニット１２は、液晶表示パネル１１を照明する装置であり、冷陰極管１８などから構成されている。
【０１７１】
第１の温度センサー１４は、液晶表示パネル１１の温度を取得するために設けられている温度センサーであり、その第１の温度センサー１４が設置されている位置の温度に対応する電流等の信号を出力する手段である。
【０１７２】
温度検出手段２１は、第１の温度センサー１４から出力されてきた信号に基づいて、その第１の温度センサー１４で検知された温度を検出する手段である。
【０１７３】
相関関係情報格納手段５３には、適用相関関係情報テーブル５４が格納されている。適用相関関係情報テーブル５４は、図１６に示すような、第１の温度センサー１４で検出される温度と液晶表示パネル１１の温度との相関関係を示す１つのテーブルであり、予め格納されているものである。
【０１７４】
パネル温度推定手段５２は、相関関係情報格納手段５３に格納されている適用相関関係情報テーブル５４を利用して、温度検出手段２１から通知される第１の温度センサー１４で検出された温度から、液晶表示パネル１１の温度を推定して求める手段である。
【０１７５】
黒挿入率設定手段２４は、パネル温度推定手段５２で求められた液晶表示パネル１１の温度に応じて黒挿入期間の比率を設定する手段である。
【０１７６】
駆動処理手段２５は、挿入する黒色データが黒挿入率設定手段２４で設定された黒挿入期間の比率で、映像信号および挿入する黒色データが液晶表示パネル１１に表示されるように、液晶表示パネル１１およびバックライトユニット１２を駆動する手段である。
【０１７７】
なお、パネル基板５１が、本発明のパネル制御回路の一例にあたり、駆動処理手段２５が、本発明のパネル制御手段の一例にあたる。また、相関関係情報格納手段５３が、本発明の相関関係情報格納手段の一例にあたる。
【０１７８】
次に、本実施の形態５の液晶テレビ５０に組み込まれている液晶表示装置の動作を説明する。
【０１７９】
本実施の形態５の液晶表示装置は、まず、電源が入れられた際に、液晶表示パネル１１の液晶層をスプレイ状態からベンド状態に転移させるための転移駆動を行う。
【０１８０】
第１の温度センサー１４は、パネル基板５１上の第１の温度センサー１４が設置されている位置の温度を検知して、その検知した温度に対応する電流等の信号を出力する。温度検出手段２１は、第１の温度センサー１４から出力されてきた信号に基づいて、第１の温度センサー１４で検知された温度を検出する。そして、その検出した温度情報をパネル温度推定手段５２に渡す。
【０１８１】
パネル温度推定手段５２は、相関関係情報格納手段５３に格納されている適用相関関係情報テーブル５４を利用して、第１の温度センサー１４で検出された温度から液晶表示パネル１１の温度を求める。
【０１８２】
そして、パネル温度推定手段５２で求められた液晶表示パネル１１の温度が、黒挿入率設定手段２４に送られる。
【０１８３】
黒挿入率設定手段２４は、図１７に示すような液晶表示パネル１１の温度と黒挿入期間の比率との関係を示すテーブルを利用して、パネル温度推定手段５２で求められた液晶表示パネル１１の温度から黒挿入期間の比率を求める。
【０１８４】
そして、駆動処理手段２５は、黒挿入率設定手段２４で求められた黒挿入期間の比率で逆転移防止のために挿入する黒色データが表示されるように、液晶表示パネル１１の駆動を制御して、液晶表示パネル１１に映像信号を表示させる。
【０１８５】
以上に説明したように、本実施の形態５の液晶表示装置の構成および動作は、従来の液晶表示装置と同様であるが、本実施の形態５を組み込んだ電子装置の製造方法に特徴がある。
【０１８６】
以下に、本実施の形態５の液晶表示装置が組み込まれた液晶テレビ５０の製造方法について説明する。
【０１８７】
図１０は、本実施の形態５の液晶テレビ５０の製造方法の工程フローを示している。
【０１８８】
まず、筐体１７に、本実施の形態５の液晶表示装置やセット基板１６等を組み込んで、液晶テレビ５０を組み立てる（Ｓ１０１）。
【０１８９】
次に、組み立てた液晶テレビ５０の液晶表示パネル１１の表面に熱電対等の温度を測定できる装置を取り付けて、組み立てた液晶テレビ５０を恒温槽に入れ、最も多く使用されると考えられる温度条件下で動作させる。ここでは、この液晶テレビ５０が最も多く使用されるであろう条件として、恒温槽内の温度を２５℃に設定して液晶テレビ５０を動作させる。そして、液晶テレビ５０の電源を入れた以降の、第１の温度センサー１４で検出される温度と、液晶表示パネル１１の表面温度との温度変化を測定する（Ｓ１０２）。
【０１９０】
そして、これらの測定した温度変化から、パネル温度推定手段５２が利用する適用相関関係情報テーブル５４を作成し、その適用相関関係情報テーブル５４を相関関係情報格納手段５３に格納する（Ｓ１０３）。
【０１９１】
なお、Ｓ１０２の処理において、液晶テレビ５０が最も多く使用されるであろう条件として設定した２５℃という温度が、本発明の、想定される特定の外気温の環境の一例にあたる。また、Ｓ１０１、Ｓ１０２、Ｓ１０３の処理が、それぞれ、本発明の、組み立てステップ、相関関係情報取得ステップ、相関関係情報格納ステップの一例にあたる。
【０１９２】
そして、この液晶テレビ５０が使用される際には、パネル温度推定手段５２は、この製造時に格納された適用相関関係情報テーブル５４を利用して、第１の温度センサー１４で検出された温度から液晶表示パネル１１の温度を求めることになる。
【０１９３】
液晶表示装置に設けられている第１の温度センサー１４は、液晶テレビ５０などに組み込まずに液晶表示装置だけで動作させる場合には、パネル基板５１やバックライトユニット１２などの、液晶表示装置を構成する他の部分の温度の影響を受けるのみであるが、液晶テレビ５０に組み込まれた状態で動作させる場合には、熱源となるセット基板１６なども第１の温度センサー１４の近くに配置されるので、さらにセット基板１６などの他の熱源の影響も受けることになる。
【０１９４】
したがって、第１の温度センサー１４で検出される温度と液晶表示パネル１１の温度との相関関係は、液晶表示装置が単体で動作する場合と、他の電子装置に組み込まれた状態で動作する場合とで異なってくる。
【０１９５】
本実施の形態５のように、液晶表示装置を電子装置に組み込んだ状態で測定した温度情報に基づいた適用相関関係情報テーブル５４を作成して予め格納しておくことにより、第１の温度センサー１４で検出された温度から、より正確な液晶表示パネル１１の温度を求めることができる。
【０１９６】
なお、本実施の形態５では、適用相関関係情報テーブル５４を作成して格納しておくこととしたが、適用相関関係情報テーブル５４の代わりに、第１の温度センサー１４で検出された温度から液晶表示パネル１１の温度を算出できる数式を作成し、その数式を格納しておき、パネル温度推定手段５２は、その数式を利用して第１の温度センサー１４で検出された温度から液晶表示パネル１１の温度を求めるようにしてもよい。
【０１９７】
なお、各実施の形態では、バックライトユニットが冷陰極管により照明することとしたが、冷陰極管以外のもので照明する液晶表示装置であってもよい。たとえば、ＬＥＤで照明するバックライトユニットであってもよい。
【０１９８】
また、各実施の形態で使用する第１の温度センサーおよび第２の温度センサーは、サーミスタ、デジタル温度センサー等、温度を検出できるものであればどのようなセンサーでもよい。
【０１９９】
また、各実施の形態では、第１の温度センサー１４が、パネル基板上に配置されていることとしたが、液晶表示パネル１１の温度の影響を受ける場所であれば、バックライトユニット１２の背面等、どこに配置されていてもよい。
【０２００】
また、各実施の形態では、本発明の液晶表示装置を組み込んだ電子装置として液晶テレビを用いて説明したが、液晶テレビ以外の電子装置であっても適用できる。例えば、カーナビゲーション、パソコン、携帯電話、ゲーム機、ＰＤＡ等、ＯＣＢモードの液晶素子を利用した液晶表示装置を組み込んだ電子装置であれば適用できる。
【０２０１】
なお、本発明のプログラムは、上述した本発明の液晶表示装置の、前記液晶表示パネルの温度を推定する前記パネル温度推定手段、および／または、前記パネル温度推定手段で推定された前記液晶表示パネルの温度に基づいて、前記ソースドライバ、前記ゲートドライバ、前記バックライトユニットを制御する前記パネル制御手段、の機能をコンピュータにより実行させるためのプログラムであって、コンピュータと協働して動作するプログラムである。
【０２０２】
また、本発明の記録媒体は、上述した本発明の液晶表示装置の、前記液晶表示パネルの温度を推定する前記パネル温度推定手段、および／または、前記パネル温度推定手段で推定された前記液晶表示パネルの温度に基づいて、前記ソースドライバ、前記ゲートドライバ、前記バックライトユニットを制御する前記パネル制御手段、の機能をコンピュータにより実行させるためのプログラムを記録した記録媒体であり、コンピュータにより読み取り可能かつ、読み取られた前記プログラムが前記コンピュータと協働して利用される記録媒体である。
【０２０３】
また、本発明のプログラムの一利用形態は、コンピュータにより読み取り可能な記録媒体に記録され、コンピュータと協働して動作する態様であっても良い。
【０２０４】
また、記録媒体としては、ＲＯＭ等が含まれる。
【０２０５】
また、上述した本発明のコンピュータは、ＣＰＵ等の純然たるハードウェアに限らず、ファームウェアや、ＯＳ、更に周辺機器を含むものであっても良い。
【０２０６】
なお、以上説明した様に、本発明の構成は、ソフトウェア的に実現しても良いし、ハードウェア的に実現しても良い。
【０２０７】
以上に説明したように、本発明の液晶表示装置、電子装置、および電子装置の製造方法を用いることにより、正確に求められた液晶表示パネルの温度に基づいて黒挿入期間の比率が設定されるので、黒挿入期間の比率が必要とされる比率よりも小さくなってしまうことがなく、確実に逆転移の発生を防止することができる。また、正確に液晶表示パネルの温度を推定できるので、設定する黒挿入期間の比率もできるだけ小さくすることができ、黒挿入に伴う輝度の低下等の現象も抑制できる。
【産業上の利用可能性】
【０２０８】
本発明にかかる液晶表示装置、電子装置、および電子装置の製造方法は、液晶表示パネルの温度をより正確に推定できるので、ＯＣＢモード液晶を用いた液晶表示装置、電子装置、電子装置の製造方法等に有用である。
【図面の簡単な説明】
【０２０９】
【図１】本発明の実施の形態１の液晶テレビのシステム構成図
【図２】本発明の実施の形態１の液晶テレビに組み込まれている液晶表示装置のブロック図
【図３】本発明の実施の形態２の液晶テレビに組み込まれている液晶表示装置のブロック図
【図４】本発明の実施の形態３の液晶テレビのシステム構成図
【図５】本発明の実施の形態３の液晶テレビに組み込まれている液晶表示装置のブロック図
【図６】本発明の実施の形態３の液晶テレビに組み込まれている、他の構成の液晶表示装置のブロック図
【図７】本発明の実施の形態４の液晶テレビに組み込まれている液晶表示装置のブロック図
【図８】本発明の実施の形態５の液晶テレビのシステム構成図
【図９】本発明の実施の形態５の液晶テレビに組み込まれている液晶表示装置のブロック図
【図１０】本発明の実施の形態５の液晶テレビの製造方法の工程フローを示す図
【図１１】（ａ）ＯＣＢ液晶の、白表示の場合のベンド状態を示す図、（ｂ）ＯＣＢ液晶の、黒表示の場合のベンド状態を示す図、（ｃ）ＯＣＢ液晶のスプレイ状態を示す図
【図１２】従来の液晶テレビのシステム構成図
【図１３】従来の液晶テレビに組み込まれている液晶表示装置のブロック図
【図１４】従来の液晶表示装置の液晶表示パネル駆動処理手段、液晶表示パネル、及びバックライトユニットの詳細な構成を示す図
【図１５】従来の液晶表示装置を駆動するタイミングチャートを示す図
【図１６】従来の液晶表示装置の起動後の、液晶表示パネルとセンサー検出温度の経時変化を示す図
【図１７】液晶表示装置における、液晶表示パネルの表面温度と適切な黒挿入率の関係を示す図
【図１８】異なる外気温のそれぞれにおける、液晶表示装置の起動後の、液晶表示パネルとセンサー検出温度の経時変化を示す図
【符号の説明】
【０２１０】
１０、３０、５０  液晶テレビ
１１  液晶表示パネル
１２  バックライトユニット
１３、３１、５１  パネル基板
１４  第１の温度センサー
１５、３３  第２の温度センサー
１６、３２  セット基板
１７  筐体
１８  冷陰極管
２１  温度検出手段
２２  外気温検出手段
２３、２７、４２、５２  パネル温度推定手段
２４  黒挿入率設定手段
２５  駆動処理手段
２６  外気温毎相関関係情報テーブル
２８  相関関係基準情報テーブル
３４、３５  補正外気温算出手段
４１  相関関係オフセット量算出手段
５３  相関関係情報格納手段
５４  適用相関関係情報テーブル
【図１】
2007093939.tif 000003
【図２】
2007093939.tif 000004
【図３】
2007093939.tif 000005
【図４】
2007093939.tif 000006
【図５】
2007093939.tif 000007
【図６】
2007093939.tif 000008
【図７】
2007093939.tif 000009
【図８】
2007093939.tif 000010
【図９】
2007093939.tif 000011
【図１０】
2007093939.tif 000012
【図１１】
2007093939.tif 000013
【図１２】
2007093939.tif 000014
【図１３】
2007093939.tif 000015
【図１４】
2007093939.tif 000016
【図１５】
2007093939.tif 000017
【図１６】
2007093939.tif 000018
【図１７】
2007093939.tif 000019
【図１８】
2007093939.tif 000020